(57)【要約】【課題】この発明は、ボルトを用いずに縦枠と横枠とを連結固定することのできるジョイントを得ることを課題とするものである。【解決手段】ジョイントは、枠材の中空部に装着されるインナーケース３に一対の作動板４を内側に付勢して装着する。前記作動板の先端部に他の枠材の係止溝１２に係止する係止片７を設け、作動板の基部には一対の作動板を同時に前後方向に移動させるための操作部材６を設け、前記操作部材の操作によって一対の作動板を基部側へ移動させたときに先端部における作動板の間隔が拡がり前記係止片７が枠材の係止溝１２に係止するようにして構成する。【選択図】  図５A
2008089183.tif 000002
【特許請求の範囲】
【請求項１】
外側壁に長手方向の係止溝を有する第一の枠材と、中空部を有する第二の枠材とを直交させて連結固定するジョイントであって、
前記第二の枠材の中空部に装着されるインナーケースに一対の作動板を内側に付勢して装着し、作動板の先端部に前記第一の枠材の係止溝に係止する係止片を設け、前記一対の作動板の対向間隔は先端側で狭く基部側で広くし、前記一対の作動板の間には間隔規制部材を配設し、前記一対の作動板の基部には一対の作動板を同時に前後方向に移動させるための操作部材を設け、
前記操作部材の操作によって前記一対の作動板を基部側へ移動させたときに先端部における作動板の間隔が拡がり前記係止片が第一の枠材の係止溝に係止するようにした、枠材用ジョイント。
【請求項２】
操作部材は偏心カムとした、請求項１記載の枠材用ジョイント。
【発明の詳細な説明】
【技術分野】
【０００１】
この発明の枠材用ジョイントは、見本市などにおける展示スペースを仕切るためのフレームや、商品の展示スペースを構成する際に使用される組み立て式の商品展示台などを構成するために使用されるものである。
【背景技術】
【０００２】
従来、型材として構成されるこの種の枠材は種々提案されている。そして、この種の枠材は縦材と横材とをジョイントで連結固定する必要があるが、いずれのジョイントもボルトを用いており固定作業が煩わしく、組み立て作業のスピード化の妨げともなっている。
【特許文献１】特開２０００−６４４３７号公報
【０００３】
この発明は、枠材組立用鋼材に長手方向の溝と、この溝に直交する貫通孔を設け、前記貫通孔に挿入して使用するジョイントであって、このジョイントには前記溝の位置に対応する切欠部を設け、この切欠部の外周縁部に前記貫通孔の縁部と係合して軸方向への移動及び回転方向への移動を規制する凸部を設けたものである。
この構成においては、ジョイントの移動は規制されるものの、枠材との結合はボルトを用いなければならない。
【発明の開示】
【発明が解決しようとする課題】
【０００４】
この発明は、ボルトを用いずにワンタッチ操作により縦枠と横枠とを連結固定することのできるジョイントを得ることにより、フレームなどの組み立て作業を効率化することを課題とするものである。
【課題を解決するための手段】
【０００５】
この発明は、外側壁に長手方向の係止溝を有する第一の枠材と、中空部を有する第二の枠材とを直交させて連結固定するジョイントに関するものである。
この枠材用ジョイントは、前記第二の枠材の中空部に装着されるインナーケースに一対の作動板を内側に付勢して装着する。前記作動板の先端部に前記第一の枠材の係止溝に係止する係止片を設け、この一対の作動板の対向間隔は先端側で狭く基部側で広くし、一対の作動板の間には間隔規制部材を配設する。前記一対の作動板の基部には一対の作動板を同時に前後方向に移動させるための操作部材を設け、前記操作部材の操作によって一対の作動板を基部側へ移動させたときに先端部における作動板の間隔が拡がり前記係止片が第一の枠材の係止溝に係止するようにして構成する。
【０００６】
前記作動板は、以下の実施例に示すように１枚のバネ板を屈曲させて構成するほか、２枚の作動片を対向させ、両作動片の間にバネを介在させて内側へ付勢するようにすることもできる。要は、作動片の後方移動（作動片の先端がインナーケースから突出する方向と逆方向、すなわち一対の作動板の基部側方向）によって間隔規制部材の作用によって作動板の間隔が拡がり、その係止片が枠材の係止溝に係止し、逆方向の移動により間隔規制部材の作用が解除されることによって作動板が内側に移動して先端部における両作動板の間隔が狭まり、その係止片と枠材の係止溝との係止が解除される構成であればよい。
そして、作動片を前後に移動させるための構成も、実施例に示すカムの他、レバー操作による構成とすることもできる。
【発明の効果】
【０００７】
この発明によれば、ジョイントを第一の枠材の中空部に装着し、一対の作動板の間隔を狭めた状態で第二の枠材の係止溝に挿入し、この状態で操作部材を操作して作動板を僅かに後退させることにより第一の枠材と第二の枠材とを直交状態で連結固定することができる。
上記において、ボルトを用いることなく操作部材を操作するのみで固定することができるので作業性がよいのみならず、作動板の後退により固定されるので両枠材は密着状態に維持され、強固な組み上がり状態を得ることができる。
【発明を実施するための最良の形態】
【０００８】
以下、この発明の実施例を説明する。
【実施例１】
【０００９】
図１はこの発明のジョイントの実施例を示す分解斜視図である。
枠材１は断面縦長長方形状とした枠材であって、その側壁には工具挿入用の孔２が設けてある。
前記枠材１には上下に２つのインナーケース３が装着してある。このインナーケース３には、作動片４，間隔規制部材としてのシャフト５，操作部材としての偏心カム６が装着してある。
【００１０】
図２は前記作動板４の平面図である。この作動板４は、１枚のバネ板を屈曲させて対向する１対の作動板を構成している。そして、先端は外向きに屈曲させて係止片７が形成してあり、この係止片を含む作動板４の先端部は前記インナーケース３から突出させてある。
作動板４中央部は一部を切り分けて外向きに突出させてバネ片８としてある。このバネ片８は前記インナーケース３の内壁に押圧接触し、係止片７を含む作動板４を内側に付勢する作用をしている。
前記作動板４の対向間隔は、先端側で狭く、中央部より基部側で広くしてあり、幅狭部と幅広部の境界に前記シャフト５が位置している。そして、作動板４の基部には前記偏心カム６が装着される丸孔９が設けてあり（図３）、この丸穴に偏心カム６が装着してある。
前記作動板４の基部下方は先端側に屈曲して受けバネ４ａとしてあり、この受けバネ４ａの上面に小突起４ｂが形成してある。
【００１１】
前記偏心カム６は、図４に示すように平面視において回転軸Ｏよりも前方側が長く後方側が短くしてある。そして、一方の端面にレンチを係止させるためにレンチ穴１０が設けてある。
この偏心カム６の軸方向中央には環状の溝６ａが形成してあり、溝６ａには１箇所の不完結部６ｂが形成してある。
この偏心カム６は取付軸（図示しない）によってインナーケース３に取り付けてあり、前記レンチ穴１０の位置は前記枠材１の工具挿入用の孔２に対応させてあり、枠材１の外からレンチを挿入して偏心カムを回転できるようにしてある。
【００１２】
図５は作動板４の係止片７の間隔が狭まっている状態である。このとき偏心カム６は軸より長い側が前方（係止片側）に位置している。すなわち、作動板４は前方に位置しており、シャフト５の規制を受けず、バネ片８の作用によって内側に押されて係止片７の間隔は狭まる。このとき、前記受けバネ４ａの小突起４ｂは偏心カム６の溝６ａに嵌まり、偏心カム６の抜け止めとなる。
この状態から前記偏心カム６をレンチによって１８０度回転させると、偏心カムの軸より長い側が後方に位置するので、作動板４は僅かに後方へ移動する。この後方移動により対向する作動板４の間をシャフト５が広げるので、係止片７は外に開き枠材の係止溝１１に係止固着する。
偏心カム６の回転時には、前記受けバネ４ａの小突起４ｂが偏心カムの溝の不完結部６ｂを越えて移動する。そして、前記小突起４ｂが前記不完結部６ｂを越えたときに偏心カム６がロックされるようにしてある。
したがって、インナーケース３を他の枠材１の中空部に装着した状態で上記操作を行うと、二つの枠材を連結固定することができる。
【産業上の利用可能性】
【００１３】
この発明によれば、ジョイントのカムを操作するのみで、すなわちボルトなどを使用することなく、柱と梁とを固定することができ、フレームなどの組み立て作業の作業性が向上することができ、産業上の利用可能性を有するものである。
【図面の簡単な説明】
【００１４】
【図１】この発明のジョイントの枠材への装着状態を示す分解斜視図
【図２】同じく作動片の平面図
【図３】同じく作動片の正面図
【図４】同じく偏心カムの平面図
【図５Ａ】同じく係止片が閉じた状態の平面側斜視図
【図５Ｂ】同じく底面側斜視図
【図６Ａ】同じく係止片が開いた状態の平面側斜視図
【図６Ｂ】同じく底面側斜視図
【符号の説明】
【００１５】
１    枠材
２    孔
３    インナーケース
４    作動片
５    シャフト
６    偏心カム
７    係止片
８    バネ片
９    丸孔
１０  レンチ穴
１１  枠材
１２  係止溝
【図１】
2008089183.tif 000003
【図２】
2008089183.tif 000004
【図３】
2008089183.tif 000005
【図４】
2008089183.tif 000006
【図５Ａ】
2008089183.tif 000007
【図５Ｂ】
2008089183.tif 000008
【図６Ａ】
2008089183.tif 000009
【図６Ｂ】
2008089183.tif 000010